【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
取り込みコンテンツ項目に関連するコンテンツ構造化ノードを含む階層ビューを表示する方法であって、
複数のコンテンツ構造化ノードを含む階層分類を提供するステップと、
コンピュータにおいて、コンテンツ調査中にユーザが取り込んだ複数の取り込みコンテンツ項目を受け取るステップと、
前記複数のコンテンツ構造化ノードからのコンテンツ構造化ノードを前記複数の取り込みコンテンツ項目からの指定取り込みコンテンツ項目と関連付けるためのユーザオプションを提供するステップと、
前記ユーザオプションのユーザ選択を受け取ることに応答して、前記コンテンツ構造化ノードを前記指定取り込みコンテンツ項目に関連付けて、前記指定取り込みコンテンツ項目が前記複数のコンテンツ構造化ノードのうちの少なくとも１つに関連するようにするステップと、
前記複数のコンテンツ構造化ノードを含む階層ビューを表示するステップと、を含み、  前記階層ビューは、前記複数のコンテンツ構造化ノードの各々について、前記コンテンツ構造化ノードが前記複数の取り込みコンテンツ項目のうちの少なくとも１つに関連する旨のグラフィカル表現を含み、
前記グラフィカル表現は、前記コンテンツ構造化ノードの近傍に表示された取り込み属性アイコンを含み、
前記取り込み属性アイコンは、前記コンテンツ構造化ノードに関連する前記指定取り込みコンテンツ項目を取り込んだユーザ、前記コンテンツ構造化ノードに関連する前記指定取り込みコンテンツ項目の取り込み時間、又は前記コンテンツ構造化ノードに関連する前記指定取り込みコンテンツ項目のコンテンツタイプのうちの少なくとも１つを示す、方法。
【請求項２】
前記複数の取り込みコンテンツ項目は、第１の取り込みコンテンツ項目及び第２の取り込みコンテンツ項目を含み、
前記複数のコンテンツ構造化ノードは、第１のコンテンツ構造化ノード及び第２のコンテンツ構造化ノードを含み、
前記第１の取り込みコンテンツ項目は、前記第１のコンテンツ構造化ノードに関連し、  前記第２の取り込みコンテンツ項目は、前記第２のコンテンツ構造化ノードに関連し、  前記グラフィカル表現は、前記第１の取り込みコンテンツ項目が前記第１のコンテンツ構造化ノードに関連する旨、及び前記第２の取り込みコンテンツ項目が前記第２のコンテンツ構造化ノードに関連する旨を示す、請求項１に記載の方法。
【請求項３】
前記複数のノードのうちの１つのノードについて、該ノードが前記第１の取り込みコンテンツ項目に関連する程度を示す構造的適合スコア強度を計算するステップと、
前記構造的適合スコア強度に基づいて、前記ノードを前記第１のコンテンツ構造化ノードとして前記第１の取り込みコンテンツ項目に関連付けるステップと、を更に含む請求項２に記載の方法。
【請求項４】
前記複数のノードの各ノードについて前記構造的適合スコア強度を計算するステップと、
前記構造的適合スコア強度が最も高いノードを前記第１のコンテンツ構造化ノードとして前記第１の取り込みコンテンツ項目に関連付けるステップと、を更に含む請求項３に記載の方法。
【請求項５】
前記複数のノードの各ノードについて第１のコンテンツ構造的適合スコア強度を計算することにより、前記複数のノードのうちの前記第１のコンテンツ構造的適合スコア強度が最も高いノードである、前記第１の取り込みコンテンツ項目の最良適合ノードを決定するステップと、
前記複数のノードの各ノードについて第２のコンテンツ構造的適合スコア強度を計算することにより、前記複数のノードのうちの前記第２のコンテンツ構造的適合スコア強度が最も高いノードである、前記第２の取り込みコンテンツ項目の最良適合ノードを決定するステップと、を更に含み、
前記第１のコンテンツ構造化ノード及び前記第２のコンテンツ構造化ノードの少なくとも一方は、前記第１の取り込みコンテンツ項目の前記最良適合ノード及び前記第２の取り込みコンテンツ項目の前記最良適合ノードの少なくとも一方に基づいて決定される、請求項２に記載の方法。
【請求項６】
前記第１のコンテンツ構造化ノード及び前記第２のコンテンツ構造化ノードは、共通コンテンツ構造化ノードであり、該共通コンテンツ構造化ノードは、前記第１のコンテンツ構造化ノードの親ノードであるとともに、前記第２のコンテンツ構造化ノードの親ノードである、請求項５に記載の方法。
【請求項７】
前記第１のコンテンツ構造化ノードは、前記第１の取り込みコンテンツ項目の前記最良適合ノードであり、前記第２のコンテンツ構造化ノードは、前記第２の取り込みコンテンツ項目の前記最良適合ノードである、請求項５に記載の方法。
【請求項８】
前記複数のコンテンツ構造化ノードは、拡散率に基づいて前記複数の取り込みコンテンツ項目に関連付けられる、請求項１に記載の方法。
【請求項９】
前記グラフィカル表現は、前記複数のコンテンツ構造化ノードのうちの少なくとも１つをハイライト表示して、前記複数の取り込みコンテンツ項目のうちの少なくとも１つが前記ハイライト表示されたノードに関連することを示すことを含む、請求項１に記載の方法。
【請求項１０】
取り込みコンテンツ項目に関連するコンテンツ構造化ノードを含む階層ビューを表示する方法であって、
複数のノードを含む階層分類を提供するステップと、
第１の取り込みコンテンツ項目及び第２の取り込みコンテンツ項目を含む複数の取り込みコンテンツ項目をコンピュータにおいて受け取るステップと、
前記複数のノードからの複数のコンテンツ構造化ノードを第１の取り込みコンテンツ項目及び第２の取り込みコンテンツ項目と関連付けるためのユーザオプションを提供するステップと、
前記ユーザオプションの選択に応答して、前記複数のノードからの複数のコンテンツ構造化ノードを、第１のコンテンツ構造化ノード及び第２のコンテンツ構造化ノードを含む前記複数のコンテンツ構造化ノードに関連付けて、前記第１の取り込みコンテンツ項目が前記第１のコンテンツ構造化ノードに関連し、前記第２の取り込みコンテンツ項目が前記第２のコンテンツ構造化ノードに関連するようにするステップと、
前記複数のコンテンツ構造化ノードを含む前記階層ビューを表示するステップと、を含み、
前記階層ビューは、前記第１の取り込みコンテンツ項目が前記第１のコンテンツ構造化ノードに関連し、及び前記第２の取り込みコンテンツ項目が前記第２のコンテンツ構造化ノードに関連する旨のグラフィカル表現を含み、
前記グラフィカル表現は、前記第１のコンテンツ構造化ノードの近傍に表示された第１の取り込み属性アイコンと、前記第２のコンテンツ構造化ノードの近傍に表示された第２の取り込み属性アイコンとを含み、前記第１の取り込み属性アイコンは、前記第１の取り込みコンテンツ項目の取り込みに関する属性を示し、前記第２の取り込み属性アイコンは、前記第２の取り込みコンテンツ項目の取り込みに関する属性を示す、方法。
【請求項１１】
前記第１の取り込み属性アイコンは、前記第１の取り込みコンテンツ項目を取り込んだ第１のユーザ、前記第１の取り込みコンテンツ項目の第１の取り込み時間、又は前記第１の取り込みコンテンツ項目の第１のコンテンツタイプを示し、
前記第２の取り込み属性アイコンは、前記第２の取り込みコンテンツ項目を取り込んだ第２のユーザ、前記第２の取り込みコンテンツ項目の第２の取り込み時間、又は前記第２の取り込みコンテンツ項目の第２のコンテンツタイプを示す、請求項１０に記載の方法。
【請求項１２】
前記第１の取り込み属性アイコンは、前記第１の取り込みコンテンツ項目を取り込んだ第１のユーザを示し、前記第２の取り込み属性アイコンは、前記第２の取り込みコンテンツ項目を取り込んだ第２のユーザを示す、請求項１０に記載の方法。
【請求項１３】
取り込みコンテンツの構造化識別子を決定する方法であって、
複数のコンテンツ構造化ノードを含む階層分類を提供するステップと、
コンピュータにおいて、コンテンツ調査中にユーザが取り込んだ取り込みコンテンツ項目を受け取るステップと、
前記取り込みコンテンツ項目と関連付けるための前記複数のコンテンツ構造化ノードからの推奨コンテンツ構造化ノードを決定するステップと、
前記推奨コンテンツ構造化ノードを前記取り込みコンテンツ項目と関連付けるためのユーザオプションを提供するステップと、
前記ユーザオプションのユーザ選択を受け取ることに応答して、前記取り込みコンテンツ項目に前記推奨コンテンツ構造化ノードを関連付けるステップと、
前記推奨コンテンツ構造化ノードに基づいて、前記取り込みコンテンツ項目の前記構造化識別子を決定するステップと、
前記複数のコンテンツ構造化ノードを含む階層ビューを表示するステップと、を含み、  前記階層ビューは、第１のコンテンツ構造化ノードの近傍に表示された取り込み属性アイコンを含み、
前記取り込み属性アイコンは、前記第１のコンテンツ構造化ノードに関連する前記取り込みコンテンツ項目を取り込んだユーザ、前記第１のコンテンツ構造化ノードに関連する前記取り込みコンテンツ項目の取り込み時間、又は前記第１のコンテンツ構造化ノードに関連する前記取り込みコンテンツ項目のコンテンツタイプのうちの少なくとも１つを示す、方法。
【請求項１４】
前記取り込みコンテンツ項目の前記構造化識別子は、以前に取り込んだコンテンツ項目の構造化識別子にアクセスすることによって決定され、
前記取り込みコンテンツ項目と、前記以前に取り込んだコンテンツ項目とが、閾値数のコンテンツ構造化ノードを共有している場合、前記取り込みコンテンツ項目の前記構造化識別子は、前記以前に取り込んだコンテンツ項目の前記構造化識別子として決定される、請求項１３に記載の方法。
【請求項１５】
複数のノードを含む階層分類を提供するステップを更に含み、前記複数のコンテンツ構造化ノードは、前記階層分類の前記複数のノードから識別される、請求項１３に記載の方法。
【請求項１６】
前記複数のノードのうちの１つのノードについて、該ノードが前記第１の取り込みコンテンツ項目に関連する程度を示す構造的適合スコア強度を計算するステップを更に含む、請求項１５に記載の方法。